(57)【特許請求の範囲】
【請求項１】
パチンコ機本体の背面側に位置して設けられ球通路を有する本体プレートの所定の装着面部に、ケーシング内に前記球通路に連続される通路部を有すると共に所定の機構を内蔵するユニット式構成部品を着脱可能に取付けるようにしたものにおいて、
前記本体プレートの装着面部の裏面側に位置して、前記ユニット式構成部品をそのケーシングの一壁部である衝合壁部を前記装着面部に対して押付けて取付けるための取付部材が設けられ、
前記ユニット式構成部品のケーシングの衝合壁部には、開口部が形成されていると共に、
前記取付部材は、前記装着面部の裏面側に配置され取付位置と取外位置との間で回動操作可能な操作レバーと、この操作レバーの取外位置にて前記ケーシングの開口部を通して該ケーシングの内側に位置され且つ前記操作レバーが取付位置に回動された状態で前記衝合壁部の内壁面に圧接して押圧する係止片とを一体的に有して構成されることを特徴とするパチンコ機。
【発明の詳細な説明】
【０００１】
【発明の属する技術分野】
本発明は、賞球ケースや入賞球処理装置等のユニット式構成部品の本体プレートに対する取付構造を改良したパチンコ機に関する。
【０００２】
【発明が解決しようとする課題】
図８に示すように、パチンコ機においては、本体１の背面側部分に、図示のように構成されたメインセットと称される賞球払出装置２を設けたものがある。この賞球払出装置２は、矩形枠状に構成された本体プレート３に、多数個の賞球Ａ（一部のみ図示）を溜める賞球タンク４や、その賞球タンク４からの賞球Ａを賞球払出口５に導く賞球通路６を設けると共に、その賞球通路６の途中部に位置して賞球Ａの払出しを制御するための払出機構をユニット化した賞球ケース７を設けて構成されている。
【０００３】
また、前記本体プレート３の下部には、遊技盤における入賞球Ｂが一列に案内される集合樋８が設けられると共に、その集合樋８と排出口９との間に位置して、入賞球Ｂを検出するための検出機構をユニット化した入賞球処理装置１０が設けられるようになっている。
【０００４】
この場合、前記賞球ケース７は、矩形状のケーシング１１内に、前記賞球通路６に連なる通路部１２を有すると共に、図示はしないが、モータ等を駆動源としてその通路部１２内を賞球Ａを１個ずつ送る機構や、賞球Ａをカウントするためのセンサ等を内蔵して構成されている。また、前記入賞球処理装置１０も、ケーシング１３内に、集合樋８と排出口９とをつなぐような折返し状の通路部１４を有すると共に、図示はしないが、ソレノイド等を駆動源としてその通路部１４内を入賞球Ｂを１個ずつ送る機構や、その入賞球Ｂをカウントするためのセンサ等を内蔵して構成されている。
【０００５】
そして、前記賞球ケース７及び入賞球処理装置１０は、本体プレート３に対して、夫々複数箇所のビス止めにより着脱可能に取付けられるようになっている。これにより、賞球払出装置２全体としての組立性が良好となると共に、払出機構や検出機構の故障時などには、賞球ケース７あるいは入賞球処理装置１０を簡単に取外して交換することができるようになっている。
【０００６】
ところで、上記した賞球ケース７及び入賞球処理装置１０は、賞球通路６と通路部１２とのつなぎ目部分や集合樋８と通路部１４とのつなぎ目部分などにおける高い接続位置精度が求められる。なぜならば、例えば賞球通路６と通路部１２とのずれが大きくなると、賞球Ａが賞球通路６から通路部１２に入る際のスムーズな流れが阻害され、ひいては、球詰まりが起こりやすくなってしまうからである。しかしながら、上記従来のものでは、賞球ケース７及び入賞球処理装置１０は、ビス止めにより本体プレート３に取付けられるため、ビスの締付け力のばらつきや、ビスのゆるみ等により、球の通路の前後方向の位置合せ精度が必ずしも十分でない不具合があった。
【０００７】
尚、上述のように、賞球ケース７及び入賞球処理装置１０は、機構が故障したり球が詰まったりした場合に、パチンコホールの従業員により交換作業が行われるのであるが、ビス止めでは、複数個のビスを取外してユニットを付替え、再度複数のビスを締付けるといった比較的面倒な作業が必要となる事情もあった。また、この場合、ドライバー等の工具を必要とすると共に、交換作業中に細かな部品であるビスを落としてなくしたりする虞もある。
【０００８】
本発明は上記事情に鑑みてなされたもので、その目的は、本体プレートに球通路との接続状態でユニット式構成部品を着脱可能に取付けるものにあって、ユニット式構成部品を高精度な位置合せ状態で取付けることができて球詰まりを軽減することができるパチンコ機を提供するにある。
【０００９】
【課題を解決するための手段】
本発明のパチンコ機は、パチンコ機本体の背面側に位置して設けられ球通路を有する本体プレートの所定の装着面部にケーシング内に前記球通路に連続される通路部を有すると共に所定の機構を内蔵するユニット式構成部品を着脱可能に取付けるようにしたものにおいて、前記本体プレートの装着面部の裏面側には前記ユニット式構成部品を、そのケーシングの一壁部である衝合壁部を前記装着面部に対して押付けて取付けるための取付部材が設けられ、前記ユニット式構成部品のケーシングの衝合壁部には開口部が形成されていると共に、前記取付部材は前記装着面部の裏面側に配置され取付位置と取外位置との間で回動操作可能な操作レバーとこの操作レバーの取外位置にて前記ケーシングの開口部を通して該ケーシングの内側に位置され且つ前記操作レバーが取付位置に回動された状態で前記衝合壁部の内壁面に圧接して押圧する係止片とを一体的に有して構成されるところに特徴を有する。
【００１０】
本発明のパチンコ機によれば、ユニット式構成部品は、取付部材によって本体プレートに取付けられるのであるが、このとき、ユニット式構成部品のケーシングの衝合壁部が、本体プレートの装着面部に対して押付けられた状態で取付けられるようになる。従って、ビス止めの場合と比べて、ユニット式構成部品を高精度な位置決め状態で本体プレートに取付けることができ、ひいては、球通路と通路部とのつなぎ目部分における球詰まりを軽減することができるようになる。また、取付部材は、周囲に他の部品などの存在しない本体プレートの装着面部の裏面側に位置して設けられるので、他の部品の配置の邪魔になることなく、設計の自由度を高めることができる。しかも、取付部材の操作レバーの取外位置においては、係止片がケーシングの開口部に対して相対的に出入可能となり、操作レバーを取付位置に回動させることによって、係止片が衝合壁部の内壁面に圧接してケーシングを装着面部に押圧するようになる。従って、操作レバーの取外位置において、ユニット式構成部品の衝合壁部を、その開口部が係止片に通されるようにして装着面部に宛がい、その状態で操作レバーを取付位置に回動操作するだけで、容易にユニット式構成部品を装着面部に対する押付け状態に取付けることができる。また、逆に操作レバーを取外位置に回動操作するだけで、容易にユニット式構成部品を取外すことができるようになる。
【００１３】
その他発明１は、前記装着面部に嵌合部を設け、前記ケーシングの衝合壁部に被嵌合部を設けて、それらの嵌合によりユニット式構成部品の装着面部の面に沿う方向の位置決めがなされるように構成しても良い。これによれば、ユニット式構成部品の装着面部の面に沿う方向の位置合せ精度も十分に高くすることができる。
【００１４】
その他発明２は、上記ユニット式構成部品としては、賞球の払出しを制御する賞球ケースであっても良く、入賞球を検出する入賞球処理装置であっても良い。いずれの場合も、ユニット式構成部品を高精度な位置合せ状態で取付けることができ、賞球あるいは入賞球の詰まりを効果的に防止することができる。
【００１５】
【発明の実施の形態】
以下、本発明の一実施例について、図１ないし図７を参照しながら説明する。まず、図７は、パチンコ機本体２１の背面側に設けられた本実施例に係るメインセット２２の全体構成を示している。尚、この図７は、パチンコ機全体としてみれば背面側から見た図であるが、メインセット２２としては前面に該当するので、便宜上、正面として以下説明することとする。
【００１６】
このメインセット２２は、例えばプラスチックから全体としてほぼ矩形枠状に構成された本体プレート２３に、賞球Ａの払出しを制御するための賞球ケース２４、及び、入賞球Ｂの検出，処理を行うための入賞球処理装置２５等を後述するように組付けて構成されている。これら賞球ケース２４及び入賞球処理装置２５が、本発明にいうユニット式構成部品に該当する。また、本体プレート２３には、図示しない制御回路基板等も取付けられるようになっている。
【００１７】
この場合、このメインセット２２は、前記本体プレート２３の右側辺部にてヒンジを介してパチンコ機本体２１に取付けられ、遊技盤の背面部にほぼ接するような閉塞位置と、遊技盤の背面を開放させる開放位置との間で開閉可能とされている。また、前記本体プレート２３には、その内側の開口部分全体（遊技盤の背面）を覆うように樋カバー２６が設けられている。
【００１８】
前記本体プレート２３の上部には、多数個の賞球Ａ（一部のみ図示）を溜める賞球タンク２７が設けられている。そして、本体プレート２３の右辺部部分には、上下方向ほぼ中間部に位置して、前記賞球ケース２４を取付けるための、図２〜図４に示すような装着面部２８が矩形状に設けられている。これと共に、前記装着面部２８の上側には、前記賞球タンク２７からの賞球Ａが整列状態で流下する上部賞球通路２９が設けられており、また、装着面部２８の下側には、下端部が賞球払出口３０に連通する下部賞球通路３１が設けられている。
【００１９】
このとき、前記上部賞球通路２９及び下部賞球通路３１は、装着面部２８から前方に膨出した形態に設けられ、言換えれば、装着面部２８は賞球通路２９，３１から一段奥方に落込んだ位置に１枚の板状に設けられている。尚、詳しく図示はしないが、前記上部賞球通路２９は前後２列に設けられている。また、本体プレート２３の右側縁部には、前記上部賞球通路２９の途中部から分岐して下方に延びる賞球抜取路３２が設けられ、下端部の抜取口３３につながっている。さらに、前記下部賞球通路３１の途中部には、揺動変位により賞球の流路を前記賞球抜取路３２側に切換えるための流路切換部材３４が設けられている。
【００２０】
前記賞球ケース２４は、図１，図２等にも示すような矩形箱状をなすケーシング３５内に、図３及び図５にも示すように、前記上部賞球通路２９と下部賞球通路３１とをつなぐような通路部３６を有して構成される。このとき、前記通路部３６は、ケーシング３５内の右側部をその上面の球入口３６ａから下方に延び、途中で左方向にクランク状に折曲がってケーシング３５の下面部の出口につながるように設けられている。また、通路部３６は上流部にて前後２列に設けられ、下流部で１つに合流する形態とされている。従って、ケーシング３５の上面には、前記上部賞球通路２９の下端部に連続される前後２個の球入口３６ａ，３６ａが設けられている。
【００２１】
そして、この賞球ケース２４は、ケーシング３５内に、賞球Ａを通路部３６を通して１個ずつ払出すための払出機構や、払出された賞球Ａをカウントするための図示しないセンサを内蔵している。詳しい説明は省略するが、前記払出機構は、図３に一部示すように、通路部３６内のうち下流側に配置されたスクリュー状のスプロケット３７をモータ３８により回転駆動することにより、流れてきた賞球Ａをスプロケット３７の外周部の螺旋溝に沿って下方に送り、１個ずつ下部賞球通路３１に排出するように構成されている。
【００２２】
尚、この賞球ケース２４は、ケーシング３５の一壁部である背壁部３５ａが、前記装着面部２８に宛がわれて取付けられるようになっている。従って、この背壁部３５ａを、以下衝合壁部３５ａと称することとする。このとき、図３に示すように、衝合壁部３５ａの内面と、通路部３６や払出機構（モータ３８，スプロケット３７等）との間には、部材の配設されていない隙間Ｓが存在するようになっている。この賞球ケース２４の本体プレート２３（装着面部２８）に対する取付構造については後述する。
【００２３】
一方、図７に示すように、前記本体プレート２３の下部には、前記樋カバー２６の下辺部に連続して、遊技盤の入賞口に入った入賞球Ｂが集められ一列に整列状態に案内するための球通路としての集合樋３９が設けられている。この集合樋３９は、右方に緩やかに下降傾斜して延び、本体プレート２３には、その集合樋３９の右端部に連続するように前記入賞球処理装置２５が取付けられる装着面部が設けられている。また、その入賞球処理装置２５から下方に延びて、前記賞球抜取路３２の抜取口３３に並んで位置する排出口４０につながる入賞球排出路４１が設けられている。
【００２４】
詳しく図示はしないが、前記入賞球処理装置２５は、図６にも示すように、矩形箱状をなすケーシング４２内の左側部位に位置して、前記集合樋３９と入賞球排出路４１とをつなぐような通路部４３を有すると共に、入賞球検出機構を内蔵して構成される。前記入賞球検出機構は、例えば、前記通路部４３内に出没して入賞球Ｂを係止する上下２段の係止爪４４及び４５、それら係止爪４４及び４５を交互に出没させるためのソレノイド４６、下側の係止爪４５に止められた入賞球Ｂを検出するセンサ４７等から構成されている。
【００２５】
この場合、通常状態では下側の係止爪４５が突出状態（上側の係止爪４４は没入状態）にあり、入賞があって入賞球Ｂがセンサ４７により検出されると、ソレノイド４６の駆動により、上側の係止爪４４が突出して次の入賞球Ｂをセンサ４７よりも上方に止めると共に、下側の係止爪４５が没入して検出済みの入賞球Ｂを排出するようになっている。そして、検出済み入賞球Ｂの排出後、再び上記通常状態になることが繰返されるようになっている。
【００２６】
尚、前記賞球ケース２４及び入賞球処理装置２５等から導出される配線は、夫々コネクタを介して制御回路基板の制御回路に着脱自在に接続されるようになっている。制御回路は、前記入賞球処理装置２５において１個の入賞球Ｂの検出がある毎に、前記賞球ケース２４を制御して所定個数（例えば１３個）の賞球Ａを払出すようになっている。
【００２７】
さて、前記賞球ケース２４及び入賞球処理装置２５の本体プレート２３（装着面部２８）に対する取付構造について、主として図１ないし図４を参照しながら詳述する。尚、この場合、賞球ケース２４と入賞球処理装置２５とは、同等の構造により本体プレート２３に取付けられるように構成されているので、そのうち賞球ケース２４を代表させてその取付構造について述べる。
【００２８】
図１及び図２は、賞球ケース２４の取付部分を本体プレート２３（装着面部２８）の裏面側から示している。ここで、賞球ケース２４を取付けるために、前記本体プレート２３の装着面部２８の裏面側には、例えば金属製の取付部材４８が設けられるようになっている。
【００２９】
この取付部材４８は、図１及び図２等に示すように、取付用穴４９ａを有する円形の基部４９、その基部４９から上下方向に延びる一対の係止片５０，５０、前記基部４９から図１，２で左方に延びる操作レバー５１を一体に有して構成されている。前記各係止片５０は、より具体的には、基部４９から上下方向に延びる延出部５０ａ、その延出部５０ａの先端から前方に延びる通過部５０ｂ、この通過部５０ｂの先端から更に上下方向に延びる係止爪部５０ｃとから構成されている。また、前記操作レバー５１の先端側部分には、保持用穴５１ａが形成されている。
【００３０】
これに対し、前記本体プレート２３の装着面部２８には、裏面中央の若干下部寄り部位に位置して、ビス用穴５２ａを有する取付ボス部５２が一体的に設けられていると共に、その取付ボス部５２の上下部位に位置して、前記係止片５０の通過部５０ｂ及び係止爪部５０ｃが挿通される挿通穴５３，５３が形成されている。この挿通穴５３は、前記係止片５０の係止爪部５０ｃが通過可能なように形成されていると共に、その内側（取付ボス部５２を向く側）部分に、前記通過部５０ｂの所定量の回転方向（矢印Ｃ，Ｄ方向）の移動を許容するための細幅の円弧状部５３ａを有して構成されている。
【００３１】
また、装着面部２８の裏面には、前記取付ボス部５２の図１，２で左側に位置して、図４にも示すような、上下２個の保持用突起５４，５５が設けられている。これら保持用突起５４，５５は、前記操作レバー５１の保持用穴５１ａが着脱可能に嵌合することにより、操作レバー５１ひいては取付部材４８を取外位置（図４及び図２（ａ）参照）あるいは取付位置（図２（ｂ）参照）に保持するためのものである。さらに、本実施例では、装着面部２８の表面側には、図３にも示すように、対角部分に位置して嵌合部たる２個の嵌合凸部５６が一体的に設けられている。
【００３２】
これにて、前記取付部材４８は、前記基部４９を前記装着面部２８の取付ボス部５２に嵌合させた状態で、ビス５７を締付けることにより、装着面部２８の裏面側に基部４９を中心に回動可能に取付けられている。このとき、図４にも示すように、係止片５０の通過部５０ｂの先端部及び係止爪部５０ｃが、挿通穴５３を通して装着面部２８の表面から前方に突出する。また、このときの取付部材４８の回動可能な範囲は、通過部５０ｂが円弧状部５３ａを移動できる範囲内に規制される。そして、この取付状態では、図７に示すように、前記操作レバー５１の先端部は、本体プレート２３から右方に突出し、作業者による外部からの上下への回動操作が可能とされている。
【００３３】
この場合、操作レバー５１が上方に操作されることにより、取付部材４８は、図１，２で時計回り方向（矢印Ｃ方向）に回動し、操作レバー５１が上側の保持用突起５４に保持されることによって取外位置に位置される。これに対し、操作レバー５１が下方に操作されることにより、取付部材４８は、図１，２で反時計回り方向（矢印Ｄ方向）に回動し、操作レバー５１が下側の保持用突起５５に保持されることによって取付位置に位置されるようになっている。尚、取付部材４８は、本体プレート２３の裏面側に位置して設けられているので、他の部材の配設の邪魔になるようなことはない。
【００３４】
一方、前記賞球ケース２４のケーシング３５の衝合壁部３５ａには、図３及び図５（ｂ）にも示すように、前記取付部材４８の係止片部５０，５０に対応して、上下一対の開口部５８が形成されている。この開口部５８は、前記取付部材４８の取外位置における係止片５０の係止爪部５０ｃが通過可能なように形成されていると共に、その内側（中心を向く側）部分に、前記通過部５０ｂの反時計回り方向（矢印Ｄ方向）の所定量の移動を許容するための細幅の円弧状部５８ａを有して構成されている。また、この衝合壁部３５ａには、図１及び図５（ｂ）に示すように、対角部分に位置して、前記嵌合凸部５６に嵌合される被嵌合部たる嵌合穴５９，５９が形成されている。
【００３５】
これにて、取付部材４８の取外位置において、賞球ケース２４の衝合壁部３５ａを、嵌合穴５９が嵌合凸部５６に嵌合されるようにして装着面部２８に対して宛がうことにより、係止片５０の係止爪部５０ｃが、開口部５８を通してケーシング３５の内側に位置される。そして、その状態から取付部材４８が取付位置に回動されることにより、図３に示すように、係止爪部５０ｃが衝合壁部３５ａの内壁面に圧接して背面側へ押圧するように構成されているのである。
【００３６】
尚、詳しい説明は省略するが、入賞球処理装置２５を取付ける装着面部にも、装着面部２８と同等の構成（取付部材や挿通穴，嵌合凸部等）が設けられる一方、図６（ｂ）に示すように、入賞球処理装置２５のケーシング４２の背壁部である衝合壁部４２ａにも、前記開口部５８とほぼ同様の開口部６０や、嵌合穴６１が設けられており、もって入賞球処理装置２５についても同等の取付構造が採用されているのである。この場合も、一対の開口部６０及び一対の嵌合穴６１の形成位置は、衝合壁部４２ａの中心に対して点対称ではなく、ややずれた位置とされている。
【００３７】
次に、上記構成の作用について述べる。本体プレート２３の装着面部２８に賞球ケース２４を取付けるにあたっては、まず、装着面部２８に予め取付けられている取付部材４８を取外位置に位置させた状態としておく。この状態では、取付部材４８の係止片５０は、上下方向（垂直方向）から時計回り方向にやや傾いた状態とされており、その係止爪部５０ｃが装着面部２８の前面に突出状態に位置している。このとき、図４に示すように、操作レバー５１の保持用穴５１ａが上側の保持用突起５４に嵌合してその状態が保持されるようになっている。
【００３８】
この状態で、図２（ａ）に示すように、作業者は、賞球ケース２４を、そのケーシング３５の背面の衝合壁部３９ａが装着面部２８の表面に宛がわれるように嵌込んで保持する。このとき、衝合壁部３５ａの対角部分に形成された２個の嵌合穴５９が、装着面部２８の前面部に設けられた嵌合凸部５６に嵌合されるようになり、もって、装着面部２８の面に沿う方向（上下及び左右方向）の位置合せがなされるようになる。また、係止片５０の係止爪部５０ｃは、衝合壁部３５ａの開口部５８を通してケーシング３５の内側に位置されるようになる。
【００３９】
尚、このとき、取付部材４８が設けられている位置ひいては開口部５８の位置は、装着面部２８（衝合壁部３５ａ）の中心に対して若干下方にずれているので、仮に賞球ケース２４を上下反転した状態で取付けようとしても、係止爪部５０ｃと開口部５８との位置関係が上下にずれしまい係止爪部５０ｃが開口部５８を通らなくなる。従って、賞球ケース２４を上下反転した状態で取付けてしまうことが未然に防止される構成となっている。
【００４０】
そして、その状態から、作業者は、操作レバー５１の先端部を下方へ向けて、保持用穴５１ａが保持用突起５４から外れる程度の力で操作する。これにより、操作レバー５１ひいては取付部材４８が反時計回り方向（矢印Ｄ方向）に回動し、これに伴い、図３に示すように、係止片５０の係止爪部５０ｃが、装着面部２８との間に衝合壁部３５ａを挟み付けるようにして、衝合壁部３５ａの内壁面を摺動しながら入り込んでいくようになる。保持用穴５１ａが下方の保持用突起５５に嵌合するまで操作レバー５１を回動操作することにより、図２（ｂ）に示すように、取付部材４８が取付位置に位置され、賞球ケース２４の取付作業が完了する。
【００４１】
この取付状態では、賞球ケース２４は、取付部材４８によって、ケーシング３５の衝合壁部３５ａが装着面部２８に対して押付けられた状態、つまり、前後方向にぴったりと衝合した状態に取付けられるようになる。これと共に、嵌合穴５９と嵌合凸部５６との嵌合になり、装着面部２８の面に沿う方向（上下及び左右方向）に対しても高精度の位置合せ状態で取付けられるようになる。従って、賞球ケース２４（ケーシング３５）の上面部に位置する２個の球入口３６ａが、前記上部賞球通路２９の下端部とぴったり合った状態に接続されるようになり、また、通路部３６の下端部も下部賞球通路３１の上端部とぴったり合った状態に接続されるのである。
【００４２】
ここで、賞球ケース２４に、例えば賞球Ａの食込みによる球詰まりや，センサ，モータ３８等の故障，配線切れ等のトラブルがあると、その賞球ケース２４を取外して別の賞球ケース２４に交換することが行われる。賞球ケース２４を取外すにあたっては、作業者は、操作レバー５１の先端部を上方へ向けて、保持用穴５１ａが保持用突起５５から外れる程度の力で操作する。
【００４３】
すると、操作レバー５１ひいては取付部材４８が時計回り方向（矢印Ｃ方向）に回動し、これに伴い、係止片５０の係止爪部５０ｃが、衝合壁部３５ａの内壁面を摺動しながら開口部５８へ向けて移動するようになる。保持用穴５１ａが上方の保持用突起５４に嵌合するまで操作レバー５１を回動操作することにより、取付部材４８が取外位置に変位される。この状態では、係止片５０の係止爪部５０ｃが開口部５８内に位置するので、賞球ケース２４をそのまま前方に引出すことにより、賞球ケース２４を取外すことができるのである。
【００４４】
このように本実施例によれば、取付部材４８により、賞球ケース２４は、そのケーシング３５の衝合壁部３５ａが、本体プレート２３の装着面部２８に対して押付けられた状態に取付けられるようになる。従って、従来のビス止めの場合と比較して、賞球ケース２４（入賞球処理装置２５）を前後方向に高精度な位置決め状態で本体プレート２３に取付けることができるようになる。
【００４５】
この結果、例えば賞球Ａが上部賞球通路２９から通路部３６に入る際のスムーズな流れが確保でき、球詰まりの起きにくいものとすることができるのである。また、取付部材２８は、周囲に他の部品などの存在しない本体プレート２３の装着面部２８の裏面側に位置して設けられるので、他の部品の配置の邪魔になることなく、設計の自由度を高めることができるものである。
【００４６】
尚、取付部材４８はビス止めにより本体プレート２３に取付けられているので、そのビス５７に緩みが生ずることも考えられるが、ビス５７の緩みにより取付部材４８が外れる方向が、係止爪部５０ｃが衝合壁部３５ａを装着面部２８側へ押圧する方向と一致する。このため、賞球ケース２４の取付状態では、そのビス５７が緩んだりあるいは外れるようなことがあっても、取付部材４８ががたついたり外れたりすることはなく、賞球ケース２４の位置合せ精度が悪化することもないのである。
【００４７】
そして、本実施例では、取付部材４８の操作レバー５１を上下に回動操作するだけのいわばワンタッチで、賞球ケース２４の取付け及び取外しを行うことができる。従って、従来のように複数箇所においてビス止めを行うものと異なり、ドライバのような工具も必要とせず、ビスをなくすといったことなく、賞球ケース２４（入賞球処理装置２５）の取付け及び取外し作業の大幅な簡単化を図ることができるものである。
【００４８】
尚、上記実施例では、賞球ケース２４及び入賞球処理装置２５の双方を共にユニット式構成部品として構成したが、少なくとも１個のユニット式構成部品を有するものであれば本発明を適用することができる。また、上記実施例では、装着面部２８の面に沿う方向（上下及び左右方向）の位置合せを、嵌合凸部５６と嵌合穴５９との嵌合により行うようにしたが、ケーシング全体が装着面部の凹所に嵌合するなど他の位置合せ方法を採用しても良い。
【００４９】
その他、球通路の構成、賞球ケースや入賞球処理装置の内部の構造についても、様々な変形が可能であり、また、取付部材やその周囲の構成についても種々の変形が可能であるなど、本発明は要旨を逸脱しない範囲内で適宜変更して実施し得るものである。
【００５０】
【発明の効果】
以上の説明にて明らかなように、本発明のパチンコ機によれば、本体プレートに球通路との接続状態でユニット式構成部品を着脱可能に取付けるものにあって、本体プレートの装着面部の裏面側に位置して、ユニット式構成部品をそのケーシングの一壁部である衝合壁部を装着面部に対して押付けて取付けるための取付部材を設けたので、ユニット式構成部品を高精度な位置合せ状態で取付けることができて球詰まりを軽減することができるという優れた実用的効果を奏するものである。
【図面の簡単な説明】
【図１】本発明の一実施例を示すもので、賞球ケースの取付け部分の裏面側からの分解斜視図
【図２】取付部材が取外位置にあるとき（ａ）及び取付位置にあるとき（ｂ）の賞球ケースの取付け部分の裏面側からの斜視図
【図３】要部の横断上面図
【図４】装着面部の縦断側面図
【図５】賞球ケースの正面図（ａ）及び背面図（ｂ）
【図６】入賞球処理装置の正面図（ａ）及び背面図（ｂ）
【図７】メインセットの全体構成を概略的に示す正面図
【図８】従来例を示す図７相当図
【符号の説明】
図面中、２１はパチンコ機本体、２２はメインセット、２３は本体プレート、２４は賞球ケース（ユニット式構成部品）、２５は入賞球処理装置（ユニット式構成部品）、２８は装着面部、２９は上部賞球通路（球通路）、３１は下部賞球通路（球通路）、３５はケーシング、３５ａは衝合壁部、３６は通路部、３９は集合樋（球通路）、４１は入賞球排出路（球通路）、４２はケーシング、４２ａは衝合壁部、４３は通路部、４８は取付部材、５０は係止片、５０ｃは係止爪部、５１は操作レバー、５６は嵌合凸部（嵌合部）５８は開口部、５９は嵌合穴（被嵌合部）、６０は開口部、６１は嵌合穴（被嵌合部）を示す。
【図１】
0003900385.tif 000002
【図２】
0003900385.tif 000003
【図３】
0003900385.tif 000004
【図４】
0003900385.tif 000005
【図５】
0003900385.tif 000006
【図６】
0003900385.tif 000007
【図７】
0003900385.tif 000008
【図８】
0003900385.tif 000009